(57)【要約】【課題】デッキプレートを設置する場合にも設置しない場合にも安定した状態で使用できるインサート用ケーブル支持具と、その取付工法を提供すること。【解決手段】ケーブル支持具は、平面上に載置し得る第１インサート部の上部へ逆アンカー状の第２インサート部を有し、前記第１インサート部には前記第２インサート部の下に位置するようにケーブル等を吊り下げるための吊下げ具が取り付けられている。取付工法は、デッキプレート又は下部型枠へあらかじめ形成された挿通孔を通じて前記ケーブル支持具の吊下げ具を当該デッキプレートの上から下面側へ挿通し、前記デッキプレートの上面へ前記第１インサート部を載置した状態で前記デッキプレートの上にコンクリートを打設する。【選択図】        図４
2008266917.tif 000002
【特許請求の範囲】
【請求項１】
平面上に載置し得る第１インサート部の上部へ逆アンカー状の第2インサート部を有し、前記第１インサート部には前記第２インサート部の下に位置するようにケーブル等を吊り下げるための吊下げ具が取り付けられていることを特徴とする、インサート用ケーブル支持具。
【請求項２】
デッキプレートへあらかじめ形成された挿通孔を通じて請求項１に記載のインサート用ケーブル支持具における前記吊下げ具を当該デッキプレートの上から下面側へ挿通し、前記デッキプレートの上面へ前記第１インサート部を載置した状態で前記デッキプレートの上にコンクリートを打設することを特徴とする、インサート用ケーブル支持具の取付工法。
【請求項３】
前記第１インサート部の下面には垂直な軸部が一体に形成され、前記吊下げ具は当該軸部の先端部へ垂直に形成された突起部の取付孔に取り付けられており、前記軸部は前記デッキプレートの挿通孔へ押込み状に挿通されている、請求項２に記載のインサート用ケーブル支持具の取付工法。
【請求項４】
前記軸部には前記第１インサート部の下面から下方へ前記デッキプレートの板厚分離れた位置に周方向へ僅かに突出したリング状凸部が形成され、当該リング状凸部から前記突起部までの軸部は逆円錐台状に形成されている、請求項３に記載のインサート用ケーブル支持具の取付工法。
【請求項５】
前記第１インサート部の下面には垂直な突起部が一体に形成され、前記吊下げ具は前記突起部に形成された取付孔に取り付けられ、前記突起部は前記デッキプレートの挿通孔へ押込み状に挿通されている、請求項２に記載のインサート用ケーブル支持具の取付工法。
【請求項６】
前記吊下げ具は前記第２インサート部の軸部下端に形成された取付孔に取り付けられ、前記第１インサート部は前記第２インサート部の軸部下端から両側方へ水平に張り出された少なくとも一対の板から構成され、当該第１インサート部は前記デッキプレートの上面へ載置された状態において当該デッキプレートの上面へ接着テープにより接着される、請求項２に記載のインサート用ケーブル支持具の取付工法。
【請求項７】
下部型枠へあらかじめ形成された挿通孔を通じて請求項１に記載のインサート用ケーブル支持具における前記吊下げ具を当該下部型枠の上から下面側へ挿通し、前記下部型枠の上面へ前記第１インサート部を載置した状態で前記下部型枠の上にコンクリートを打設することを特徴とする、インサート用ケーブル支持具の取付工法。
【請求項８】
前記第１インサート部の下面には垂直な軸部が一体に形成され、前記吊下げ具は当該軸部の先端部に形成された突起部の取付孔に取り付けられており、前記軸部は前記下部型枠の挿通孔へ押し込み状に挿通されている、請求項７に記載のインサート用ケーブル支持具の取付工法。
【請求項９】
前記第１インサート部の下面には垂直な突起部が一体に形成され、前記吊下げ具は前記突起部に形成された取付孔に取り付けられ、前記突起部は前記下部型枠の挿通孔へ押込み状に挿通されている、請求項７に記載のインサート用ケーブル支持具の取付工法。
【請求項１０】
前記吊下げ具は前記第２インサート部の軸部の下端に形成された取付孔に取り付けられ、前記第１インサート部は前記第２インサート部の軸部下端から両側方へ水平に張り出された少なくとも一対の板から構成され、当該第１インサート部は前記下部型枠の上面へ載置された状態において当該下部型枠の上面へ接着又は粘着テープにより定着される、請求項７に記載のインサート用ケーブル支持具の取付工法。
【発明の詳細な説明】
【技術分野】
【０００１】
本発明は、一般には天井や天井裏等において電線やケーブル等を支持するケーブル支持具及びその取付工法に関するものであり、さらに具体的には、コンクリートを打設する際にインサートにより取り付けられるインサート用のケーブル支持具とその取付工法に関するものである。
【背景技術】
【０００２】
インサート用ケーブル支持具には、合成樹脂により軸部の上端部へフランジ状のインサート部を一体に形成し、前記軸部へケーブルを吊下げるためのフック状又は被覆金属線等からなる吊下げ具を取り付けたものが提案されている（後記特許文献１参照）。
このケーブル支持具は、施工時にあらかじめデッキプレートへ形成された挿通孔に吊下げ具を挿通してデッキプレートの下面側へ導出し、この状態でフランジ状のインサート部をデッキプレートの上面へ載置してコンクリートを打設することにより、ケーブル支持具を鉄筋コンクリート内へインサートしている。
【０００３】
前記のインサート用ケーブル支持具によれば、ケーブル吊下げ具があらかじめケーブル支持具の軸部へ取り付けられており、ケーブル支持具のインサートによりケーブル支持作業が可能となるので便利であった。
しかしながら、打設したコンクリートの凝固後もケーブルの重量の大半がデッキプレートに加わるため、デッキプレートが脆弱化し易いとともに、デッキプレートがケーブルの荷重により部分的に下降するおそれがあった。
【０００４】
また、前記インサート用ケーブル支持具は、デッキプレートに代えて下部型枠を設置してインサートした場合、コンクリートが凝固した後型枠を取り除くと、フランジ状のインサート部が凝固したコンクリートの下面に露出するため使用することができず、別の形態のケーブル支持具を用意する必要があった。
【特許文献１】特開２０００−２１３０６９号公報
【発明の開示】
【発明が解決しようとする課題】
【０００５】
本発明の課題は、インサート用ケーブル支持具の汎用性の改善にあり、その目的はデッキプレートを設置する場合にも設置しない場合にも使用できるインサート用ケーブル支持具と、その取付工法を提供することにある。
本発明の他の目的は、デッキプレートを設置する場合でも当該デッキプレートにケーブルの荷重が加わらないインサート用ケーブル支持具と、その取付工法を提供することにある。
【課題を解決するための手段】
【０００６】
本発明に係るインサート用ケーブル支持具は、前記課題を解決するため、平面上に載置し得る第１インサート部の上部へ逆アンカー状の第２インサート部を有し、前記第１インサート部には前記第２インサート部の下に位置するようにケーブル等を吊り下げるための吊下げ具が取り付けられていることを最も主要な特徴としている。
【０００７】
本発明に係るインサート用ケーブル支持具の第１の取付工法は、前記課題を解決するため、デッキプレートへあらかじめ形成された挿通孔を通じて前記本発明に係るインサート用ケーブル支持具における前記吊下げ具を当該デッキプレートの上から下面側へ挿通し、前記デッキプレートの上面へ前記第１インサート部を載置した状態で前記デッキプレートの上にコンクリートを打設することを最も主要な特徴としている。
【０００８】
本発明に係るインサート用ケーブル支持具の第２の取付工法は、前記課題を解決するため、下部型枠へあらかじめ形成された挿通孔を通じて前記本発明に係るインサート用ケーブル支持具における前記吊下げ具を当該下部型枠の上から下面側へ挿通し、前記下部型枠の上面へ前記第１インサート部を載置した状態で前記下部型枠の上にコンクリートを打設することを最も主要な特徴としている。
【発明の効果】
【０００９】
本発明に係るインサート用ケーブル支持具は、前記のように、平面上に載置し得る第１インサート部の上部へ逆アンカー状の第２インサート部を有している。
したがって、本発明に係る前記第１の取付工法のように、デッキプレートへあらかじめ形成された挿通孔を通じて前記本発明に係るインサート用ケーブル支持具における前記吊下げ具を当該デッキプレートの上から下面側へ挿通し、前記デッキプレートの上面へ前記第１インサート部を載置した状態で前記デッキプレートの上にコンクリートを打設すれば、コンクリートが凝固した後は、第２インサート部のアンカー作用によりケーブル吊下げ具によって吊り下げられているケーブルの荷重はデッキプレートにはほとんど加わらず、鉄筋コンクリートの躯体に加わる。そのため、デッキプレートの脆弱化を防止することができるとともに、デッキプレートがケーブルの荷重により経時的にコンクリートの下面から部分的に剥がれたり下がったりすることはない。
【００１０】
また、デッキプレートを設置しないで下部形枠を用い、コンクリート凝固後に形枠を取り除く工法では、本発明に係る前記第２の取付工法のように、設置された下部型枠へあらかじめ形成された挿通孔を通じて前記本発明に係るインサート用ケーブル支持具における前記吊下げ具を当該下部型枠の上から下面側へ挿通し、前記下部型枠の上面へ前記第１インサート部を載置した状態で前記下部型枠の上にコンクリートを打設すれば、コンクリート凝固後に形枠を取り外すと、第２インサート部のアンカー作用により吊下げ具で吊り下げられているケーブルは鉄筋コンクリートの躯体で支持される。
したがって、デッキプレートを設置する工法であっても、また形枠のみを使用する工法であってもケーブルは安定して支持されるので、本発明に係るケーブル支持具は汎用性を有する。
【発明を実施するための最良の形態】
【００１１】
以下図面を参照しながら、本発明に係るインサート用ケーブル支持具とその取付工法の最良実施形態を説明する。
第１実施形態
図１は本発明に係る第１実施形態のケーブル支持具の正面図、図２はその平面図、図３はその部分縦断面図、図４は第１実施形態のケーブル支持具をデッキプレートの上にインサートした取付工法を示す部分断面図、図５の（ａ）図は第１実施形態のケーブル支持具を形枠内にインサートする取付工法を示す断面図、同（ｂ）図は（ａ）図の状態から形枠を取り除いた状態を示す断面図である。
【００１２】
ケーブル支持具は、吊下げ具３（図４）を除く主部が合成樹脂により一体に成形されており、平面上に安定して載置し得る第１インサート部１の上部へ逆アンカー状の第２インサート部２を有し、前記第１インサート部１には前記第２インサート部２の直下に位置するようにケーブル等を吊り下げるための吊下げ具３が取り付けられている。
この実施形態において、第１インサート部１は円板状であり、その上部へ軸部２０を有する外径の小さな逆アンカー状の第２インサート部２が形成されている。
第１インサート部１の下面には垂直な軸部１０が一体に形成され、前記吊下げ具３（図３）は当該軸部１０の先端部へ垂直に形成された板状の突起部１１の取付孔１１ａへ挿通されて取り付けられている。吊下げ具３は適当な長さを有する樹脂被覆金属線であるが、このような金属線のほかに、ワイヤー，ロープその他の紐状のものやフック形状の金属線等を使用することができる。
【００１３】
前記軸部１０には前記第１インサート部１の下面から下方へ図４のデッキプレート４の板厚ｔ分離れた位置に周方向へ僅かに突出したリング状凸部１０ｃが形成され、第１インサート部１から前記リング状凸部１０ｃまでは円柱状軸部１０ａであり、リング状凸部１０ｃから前記突起部１１までの軸部１０ｂは逆円錐台状に形成されている。
この実施形態では、円柱状軸部１０ａの長さｈとデッキプレート４の板厚ｔとはほぼ等しく、円柱状軸部１０ａの外径は５ｍｍ、リンク状凸部１０ｃの突出量は０．３ｍｍ前後に設定されている。
なお、符号１２は取付孔１１ａの方向、すなわち取付孔１１ａに対する吊下げ具３の挿通方向を示す矢印による方向表示部で、第１インサート部１の上面に取付孔１１ａの方向に対して直交する方向に形成されている。
【００１４】
以上のケーブル支持具には軸部１０先端の突起部１１の取付孔１１ａへ通した状態で吊下げ具３があらかじめ取り付けられており、例えば天井裏等へケーブル支持具を取り付ける場合には、図４で示すように、設置する前のデッキプレート４へ所定の間隔に多数の挿通孔４０を形成しておく。この挿通孔４０の孔径は軸部１０の円柱状軸部１０ａの外径とほぼ同じに設定する。
この実施形態において、デッキプレート４は断面波形の金属板であるがその具体的な形態には種々のものがあり得る。
所定レベルへ設置されたデッキプレート４の上から挿通孔４０を通じて吊下げ具３を下面側へ挿通し、第１インサート部１の軸部１０を前記挿通孔４０へ押し込む要領で、第１インサート部１０をデッキプレート４の上面へ載置する。
この状態でデッキプレート４上へコンクリート６を打設し、コンクリート６の凝固後に吊下げ具３へケーブルａ等を吊り下げる。
【００１５】
コンクリート６が凝固した後は、第２インサート部２のアンカー作用によりケーブルａの荷重は図示しない鉄筋を含むコンクリート６に支えられ、それらの荷重はデッキプレート４にはほとんど加わらない。したがって、デッキプレート４は脆弱化しない。
ケーブル支持具は第１インサート部１がデッキプレート４の上面へ安定した状態で載置され、かつ、軸部１０が挿通孔４０へ押込み状に挿通されるとともに、当該軸部１０はリング状凸部１０ｃにより抜け止め状になっているので、コンクリート６の打設時にケーブル支持具の主部が動いて支障をきたすことはない。
また、軸部１０は先端方向部分へ逆円錐台状の軸部１０ｂを有するので挿通孔４０へ円滑に押し込むことができる。
【００１６】
第１実施形態のケーブル支持具をインサートにより型枠の内側に取り付けるには、図５の（ａ）図で示すように、あらかじめ所定の間隔に挿通孔５０を形成した下部型枠５を所定レベルに設置し、下部型枠５の上から下面側へ前記挿通孔５０に吊下げ具３、次いで軸部１０を挿通する。同時に、第１インサート部１を下部型枠５の上面へ載置する。
同（ｂ）図のようにコンクリート６が凝固した後、型枠５を取り外して図４と同様に吊下げ具３へケーブルａを吊り下げる。
【００１７】
コンクリート６の凝固により（ｂ）図で示すように第２インサート部２がアンカー機能を発揮するので、軸部１０を除く第１インサート部１と第２インサート部２は安定した状態で鉄筋を含むコンクリート６内へインサートされ、ケーブル等は安定して保持される。
第１実施形態のケーブル支持具は、以上のようにデッキプレートを使用する工法にも下部型枠を使用する工法にも実施することができ、これらいずれの工法においてもケーブルを安定してコンクリート６へ支持させることができる。
第１インサート部１は安定した状態で下部型枠５の上面に載置され、第１インサート部１の軸部１０は下部型枠５の挿通孔５０へ押込み状に挿通されているから、リング状凸部１１ｃが挿通孔５０の内壁へ突っ張ることとも相まって、コンクリート打設時にケーブル支持具が不安定になることはない。  
【００１８】
第２実施形態
図６は第２実施形態のケーブル支持具を示す図で、同（ｃ）図は同実施形態のケーブル支持具をデッキプレートの上にインサートした取付工法を示す部分断面図、同（ｄ）図は同実施形態のケーブル支持具を形枠内側にインサートした取付工法を示す断面図である。
【００１９】
この実施形態においても、ケーブル等の吊下げ具３以外の部分は硬質の合成樹脂で一体に成形されており、大径円板からなる逆アンカー状の第２インサート部の軸部２０の下端部には、所定の平面上へ安定して載置し得る小径な円板状の第１インサート部１が一体に形成されている。
第１インサート部１の下面には第２インサート部２の直下に位置するように板状の垂直な突起部１１が形成されており、この突起部１１に形成された取付孔１１ａには吊下げ具３が挿通された状態で取り付けられている。
吊下げ具３の挿通方向を示す矢印による方向表示部１２は、この実施形態においては第２インサート部２の上面に形成されている。
【００２０】
第２実施形態の多数のケーブル支持具をデッキプレートの上にインサートして取付けるには、（ｃ）図で示すように所定レベルへ設置されたデッキプレート４の上から下面側へ各挿通孔４０を通じて対応する吊下げ具３、次いで突起部１１を押込み状に挿通する。同時に第１インサート部１をデッキプレート４の上面へ載置し、この状態でデッキプレート４の上にコンクリート６を打設し、コンクリート６の凝固後に吊下げ具３へ図示しないケーブルを図４と同様な状態に吊り下げる。
この実施形態においても、コンクリート６の凝固後は第２インサート部２のアンカー作用により、ケーブルの荷重は鉄筋を含むコンクリート６により加わり、デッキプレート４にはほとんど加わらない。
第１インサート部１は、その下面の突起部１１がデッキプレート４の挿通孔４０へ押込み状に挿通されているので、コンクリート６の打設時にも安定しており、動いて支障をきたすことはない。
この取付工法における他の作用効果は、図４の取付工法とほぼ同様である。
【００２１】
第２実施形態のケーブル支持具を形枠の内側にインサートして取り付けるには、図６の（ｄ）図で示すように、あらかじめ多数の挿通孔５０が形成されている下部型枠５を所定レベルに設置する。
下部型枠５の上から下面側へ向かって挿通孔５０へ各ケーブル支持具の吊下げ具３、次いで突起部１１を押込み状に挿通する。同時に第１インサート部１を下部型枠５の上面へ載置し、この状態で下部型枠５の上にコンクリート６を打設し、コンクリート６の凝固後型枠５を取り除き、吊下げ具３へ図示しないケーブルを図４と同様な状態に吊り下げる。
コンクリート６の凝固により、第２インサート部２はアンカー作用を発揮するのでケーブルは安定して鉄筋を含むコンクリート６へ保持される。
第１インサート部１は、その下面の突起部１１が下部型枠５の挿通孔５０へ押込み状に挿通されているので、コンクリート６の打設時にも安定しており、動いて支障をきたすことはない。
この実施形態におけるケーブル支持具の他の作用効果は、第１実施形態のケーブル支持具とほぼ同様である。
【００２２】
第３実施形態
図７は第３実施形態のケーブル支持具を示す図で、同（ｅ）図は同実施形態のケーブル支持具をデッキプレートの上にインサートした取付工法を示す部分断面図、同（ｆ）図は同実施形態のケーブル支持具を形枠の内側にインサートした場合の取付工法を示す断面図である。
【００２３】
この実施形態のケーブル支持具の主部は、第２実施形態のケーブル支持具の主部と同様に硬質の合成樹脂により一体に成形されており、円板状の第２インサート部２の軸部２０には、下端部へ垂直な板状の突起部１１が一体に形成され、この突起部１１には取付孔へ挿通した状態で吊下げ具３が取り付けられている。
また、突起部１１の両側には一対の帯板状の第１インサート部１，１が一体に形成されている。
その他の構成は、第２実施形態のケーブル支持具とほぼ同様である。
【００２４】
第３実施形態の多数のケーブル支持具をデッキプレートの上にインサートして取付けるには、（ｅ）図で示すように所定レベルへ設置されたデッキプレート４の上から下面側へ向けて各挿通孔４０に吊下げ具３を挿通し、一対の帯板状の第１インサート部１をデッキプレート４の上面へ接着テープ又は粘着テープ７により定着させる。この状態でデッキプレート４の上にコンクリート６を打設し、コンクリート６の凝固後に吊下げ具３へ図示しないケーブルを図４と同様な状態に吊り下げる。
この実施形態においても、コンクリート６の凝固後は第２インサート部２のアンカー作用により、ケーブルの荷重は鉄筋を含むコンクリート６により加わり、デッキプレート４にはほとんど加わらない。
一対の帯板状の第１インサート部１は、接着テープ又は粘着テープ７によりデッキプレート４の上面へ定着されているので、コンクリート６の打設時にも安定しており、動いて支障をきたすことはない。
この取付工法における他の作用効果は、図４の取付工法とほぼ同様である。
【００２５】
第３実施形態のケーブル支持具を形枠の内側にインサートして取り付けるには、（ｆ）図で示すように、あらかじめ多数の挿通孔５０が形成されている下部型枠５を所定レベルに設置する。
下部型枠５の上から下面側へ向かって挿通孔５０へ各ケーブル支持具の吊下げ具３を挿し、一対の帯板状第１インサート部１を接着テープ又は粘着テープ７により下部型枠５の上面へ定着させる。この状態で下部型枠５の上にコンクリート６を打設し、コンクリート６の凝固後型枠５を取り除き、吊下げ具３へ図示しないケーブルを図４と同様な状態に吊り下げる。
コンクリート６の凝固により、第２インサート部２はアンカー作用を発揮するのでケーブルは安定して鉄筋を含むコンクリート６へ保持される。
第１インサート部１は、前記のように下部型枠５の上面へ定着されているので、コンクリート６の打設時にも安定しており、動いて支障をきたすことはない。
この実施形態におけるケーブル支持具の他の作用効果は、第１実施形態のケーブル支持具とほぼ同様である。
【００２６】
その他の実施形態
図８は第１実施形態のケーブル支持具の変形形態を示す斜視図であり、第２インサート部２の軸部２０の外周部へ補強のためにリブ２１を形成したものである。
図８の実施形態においては、軸部２０の四方にリブ２１が形成されているので、この四方のリブ２１の下部を第１インサート部として利用することにより、図示のような第１インサート部１を省略することができる。
【００２７】
図９は第１実施形態のケーブル支持具における他の変形形態を示す部分正面図であり、第２インサート部２はその軸部とともに全体を円錐台形状に形成したものである。
図１０は第３実施形態のケーブル支持具の変形形態を示す部分正面図であり、板状の突起部１１を下方に向けて長く形成し、インサート時に当該突起部１１をデッキプレート４又は図示しない下部型枠の挿通孔へ押込み状に挿通できるように構成したものである。
【００２８】
本発明に係るインサート用ケーブル支持具において、第１インサート部１は所定の平面上へ安定して載置し得る形態であれば、前記各実施形態のような構成でなくても実施できことは勿論、その具体的な形態の如何を問わない。
また、第２インサート部２は逆方向（下方）へのアンカー作用を有する形態であればその具体的形態の如何を問わない。
【図面の簡単な説明】
【００２９】
【図１】本発明に係る第１実施形態のケーブル支持具の正面図である。
【図２】第１実施形態のケーブル支持具の平面図である。
【図３】第１実施形態のケーブル支持具の部分縦断面図である。
【図４】は第１実施形態のケーブル支持具をデッキプレートの上にインサートした取付工法を示す部分断面図である。
【図５】第１実施形態のカーブル支持具を型枠の内側にインサートした取付工法を示す図で、（ａ）図はケーブル支持具を形枠内側にインサートした状態を示す断面図、同（ｂ）図は（ａ）図の状態から形枠を取り除いた状態を示す断面図である。
【図６】第２実施形態のケーブル支持具を示す図で、同（ｃ）図は同実施形態のケーブル支持具をデッキプレートの上にインサートした取付工法を示す部分断面図、同（ｄ）図は同実施形態のケーブル支持具を形枠内側にインサートした取付工法を示す断面図である。
【図７】第３実施形態のケーブル支持具を示す図で、同（ｅ）図は同実施形態のケーブル支持具をデッキプレートの上にインサートした取付工法を示す部分断面図、同（ｆ）図は同実施形態のケーブル支持具を形枠の内側にインサートした場合の取付工法を示す断面図である。
【図８】第１実施形態のケーブル支持具の変形形態を示す斜視図である。
【図９】第１実施形態のケーブル支持具における他の変形形態を示す部分正面図である。
【図１０】第３実施形態のケーブル支持具の変形形態を示す部分正面図である。
【符号の説明】
【００３０】
１  第１インサート部
１０  軸部
１０ａ  円柱状軸部
１０ｂ  逆円錐台状の軸部
１０ｃ  リング状凸部
１１  突起部
１１ａ  取付孔
２  第２インサート部
２０  軸部
３  吊下げ具
４  デッキプレート
５  下部型枠
４０，５０  挿通孔
６  コンクリート
【図１】
2008266917.tif 000003
【図２】
2008266917.tif 000004
【図３】
2008266917.tif 000005
【図４】
2008266917.tif 000006
【図５】
2008266917.tif 000007
【図６】
2008266917.tif 000008
【図７】
2008266917.tif 000009
【図８】
2008266917.tif 000010
【図９】
2008266917.tif 000011
【図１０】
2008266917.tif 000012